(57)【特許請求の範囲】
【請求項１】
光源からの光を反射させる反射鏡と、前記光源および前記反射鏡を覆うレンズと、このレンズの下方に配置した警報音発生体と、この警報音発生体からの警報音を外部に放出するための放出口とを備えた警報装置において、
前記レンズの下方を覆い、底部の裏面が中心から半径方向外側へ向かって漸次高くなるように断面が湾曲形成された第１のプレートと、
この第１のプレートに対向し前記警報音発生体から発せられた警報音を取込む取込口を有し、前記第１のプレートと協働して前記取込口と前記放出口との間に密閉された音響空間を形成する第２のプレートとを備え、
前記音響空間は、前記取込口から前記放出口に向かって高さ方向の寸法が大きく形成され、
前記第２のプレートは、前記取込口から平面視おいて放射状に配置され、その突設量が漸次大きくなるように形成された複数の仕切部材により前記音響空間を同じ容量の複数個の分割空間に分割したことを特徴とする警報装置。
【発明の詳細な説明】
【技術分野】
【０００１】
本発明は、建物の内部あるいは屋外に設置され、火災等の非常時に光と音とによって、建物内部に居る人、または建物の周囲に居る人に警告を発する警報装置に関するものである。
【背景技術】
【０００２】
従来の警報装置としては、ストロボ光源の下方に設けられた警報音発生機構から発せられた警報音を外部に放出する放出口をストロボ光源を覆うレンズ体の周囲に設けたものがある（例えば、特許文献１参照）。また、この特許文献１には、別の実施例として、警報音発生機構をレンズ体に隣接して設け、この警報音発生機構の真上に放出口を設けたものも提案されている。
【先行技術文献】
【特許文献】
【０００３】
【特許文献１】特開２００５−１７４０９５号公報（段落〔００２２〕および〔００２４〕、図２および図１２）
【発明の概要】
【発明が解決しようとする課題】
【０００４】
上述したような従来の警報装置のうち、前者の場合においては、警報音発生機構と放出口との間の空間が密閉されていないため、警報音発生機構から発せられた警報音が装置筺体内部で拡散してしまい、放出口から外部に放出される警報音の音圧が低下するという問題があった。また、後者の場合においては、警報音発生機構から発せられた警報音は、音圧や音色を変化させることなく放出口から外部に放出される。このように、音の波形や周波数に変化を与えずに一定の音圧や音色の音は、一般的に認識しずらく聞き取りにくいといった問題がある。
【０００５】
本発明は上記した従来の問題に鑑みなされたものであり、その目的は、音圧を高くするとともに、音圧と音色に一定の変化を与え、警報音を聞き取りやすくすることにある。
【課題を解決するための手段】
【０００６】
この目的を達成するために、本発明は、光源からの光を反射させる反射鏡と、前記光源および前記反射鏡を覆うレンズと、このレンズの下方に配置した警報音発生体と、この警報音発生体からの警報音を外部に放出するための放出口とを備えた警報装置において、前記レンズの下方を覆い、底部の裏面が中心から半径方向外側へ向かって漸次高くなるように断面が湾曲形成された第１のプレートと、この第１のプレートに対向し前記警報音発生体から発せられた警報音を取込む取込口を有し、前記第１のプレートと協働して前記取込口と前記放出口との間に密閉された音響空間を形成する第２のプレートとを備え、前記音響空間は、前記取込口から前記放出口に向かって高さ方向の寸法が大きく形成され、前記第２のプレートは、前記取込口から平面視おいて放射状に配置され、その突設量が漸次大きくなるように形成された複数の仕切部材により前記音響空間を同じ容量の複数個の分割空間に分割したものである。
【発明の効果】
【０００９】
本発明によれば、取込口と放出口との間に密閉された音響空間を設けたので、警報音発生体から発せられた警報音が放出口から放出されるまでに音圧が低下するようなことがない。
【００１０】
前記発明のうちの一つの発明によれば、音響空間の断面形状を取込口から放出口に向かって末広がりとした、いわゆるラッパ形状とすることにより、音響空間内で警報音の音圧を高くすることができるとともに、音圧と音色に一定の変化を与えらることができるため警報音を聞き取りやすくすることもでき、特に、健聴者に比べて中程度難聴者にとって、音を認識しやすくなる。
【００１１】
前記発明のうちの一つの発明によれば、仕切部材によって仕切られる分割空間が、平面視おいて取込口から放出口に向かって末広がりの空間となるため、ラッパ効果により分割空間内で警報音の音圧を高くすることができるとともに、音圧と音色に一定の変化を与えらることができるため警報音を聞き取りやすくすることもできる。また、音響空間における鉛直方向のラッパ効果を水平方向でも分担させたことにより、音響空間の高さ方向の寸法を最小限とすることが可能になるため、装置の高さ方向の寸法を小さくすることができる。
【図面の簡単な説明】
【００１２】
【図１】本発明に係る警報装置を分解して示す前面側から見た分解斜視図である。
【図２】本発明に係る警報装置を分解して示す底面側から見た分解斜視図である。
【図３】本発明に係る警報装置の全体を示す斜視図である。
【図４】本発明に係る警報装置の平面図である。
【図５】本発明に係る警報装置のレンズを取り外した状態の平面図である。
【図６】図４におけるVI-VI 線断面図である。
【図７】図４におけるVII-VII 線断面図である。
【図８】図７におけるVIII-VIII 線断面図である。
【発明を実施するための形態】
【００１３】
以下、本発明の実施の形態を図１ないし図８に基づいて説明する。
【００１４】
図１および図２に示すように、全体を符号１で示す警報装置は、ケース２、レンズ組立体３、第１のプレート４、第２のプレート５、警報音発生体６、プリント基板７、カバー８、ベース９によって概ね構成されている。
【００１５】
ケース２は、図６に示すように、略円筒状に形成された外ケース部２ａと、外ケース部２ａの上端から中心方向に延設され中央部に円形の露呈穴２ｂが設けられたすり鉢状の内ケース部２ｃとによって形成されている。内ケース部２ｃの表面側には、図１に示すように、円周方向に等角度おいて中心方向に向かって突設された三個の保持部２ｄが形成されており、裏面側には、図２に示すように、円周方向に互いに１８０°の間隔をおいた二個のボス２ｅが立設されている。
【００１６】
レンズ組立体３は、図６に示すように、半球状のレンズ３１と、この半球状のレンズ３１の下面を覆う反射鏡３２と、この反射鏡３２に立設された支柱３２ａに支持部材３３を介して支持された光源としてのキセノン管３４とによって構成されており、反射鏡３２の周端部には、図２に示すように、三個の係合突起３２ｂが半径方向外側に向かって突設されている。
【００１７】
第１のプレート４は、図１に示すように、有底円筒状に形成され、筒部には上記係合突起３２ｂが係合する係合凹部４ａが設けられ、底部には、図２に示すように、三本の係合ピン４ｂが突設されている。この第１のプレート４の底部の裏面４ｃは、図６に示すように、中心から半径方向外側に向かって漸次高くなるように断面が湾曲形成されている。また、この第１のプレート４の外径は、上記した反射鏡３２の外径と略同じ寸法に形成され、かつ上記したケース２の露呈穴２ｂの外径よりも小さい寸法に形成されている。
【００１８】
第２のプレート５は円板状に形成され、中央部に警報音発生体６から発せられた警報音を取込む取込口５ａが設けられており、この取込口５ａの周縁から放射状に延びる三個の仕切部材５ｂが円周方向に等角度をおいて突設されている。この仕切部材５ｂの先端部は二股状に形成され、上記した第１のプレート４の係合ピン４ｂが係合する係合溝５ｃが設けられており、この仕切部材５ｂは、第２のプレート５の中心から半径方向外側に向かって第２のプレート５からの突設量が漸次大きくなるように形成されている。また、第２のプレート５の裏面には、図２に示すように、取込口５ａを囲むように円筒部５ｄが突設されている。また、この第２のプレート５の外径は、ケース２の露呈穴２ｂの外径と略同じ寸法に形成され、かつ反射鏡３２の外径よりも大きく形成されている。
【００１９】
プリント基板７は、図１に示すように円板状に形成され、中央部に設けた穴に警報音発生体６が取り付けられており、上記したケース２のボス２ｅに対応して円周方向に互いに１８０°の間隔をおいて二個の挿通孔７ａが設けられている。
【００２０】
カバー８は、図１に示すように円筒状に形成され、底部には上記したプリント基板７の挿通孔７ａに対応して挿通孔が形成されたボス８ａが円周方向に互いに１８０°の間隔をおいて二個設けられている。カバー８の筒部には係合片８ｂが設けられ、カバー８の裏面には、図２に示すように位置決め用突起８ｃが突設されている。
【００２１】
ベース９は、図１に示すように円筒状に形成され、筒部には上記したカバー８の係合片８ｂに係合する係合凹部９ａが形成されており、底部には上記した位置決め用突起８ｃが係合する位置決め孔９ｂが設けられている。
【００２２】
次に、図１および図２を用いて、このように構成された警報装置の組立方法について説明する。先ず、レンズ組立体３の係合突起３２ｂを第１のプレート４の係合凹部４ａに係合させることにより、レンズ３１の下方、すなわち反射鏡３２を第１のプレート４によって覆うように、レンズ組立体３を第１のプレート４に取り付ける。次いで、第１のプレート４の係合ピン４ｂを第２のプレート５の仕切部材５ｂの係合溝５ｃに係合させることにより、第１のプレート４を仕切部材５ｂを介して第２のプレート５に重ね合わせる。
【００２３】
第２のプレート５の円筒部５ｄに、リング状のガスケット１０を介在させて警報音発生体６を嵌合させることにより、第２のプレート５の裏面側にプリント基板７を重ねる。この状態で、カバー８をプリント基板７に重ね合わせ、図２に示すように、ボルト１１をカバー８のボス８ａおよびプリント基板７の挿通孔７ａを挿通させ、ケース２のボス２ｅに螺合させることにより、レンズ組立体３、第１および第２のプレート４，５、プリント基板７およびカバー８をケース２に取り付ける。
【００２４】
この状態で、レンズ３１がケース２の露呈穴２ｂから外部に突出され、保持部２ｄによって保持されることにより、図３および図６に示すように、露呈穴２ｂと第１のプレート４との間にリング状の放出口１３が形成され、かつ警報音発生体６が第２のプレート５の取込口５ａに対向する。同時に、第１のプレート４と第２のプレート５との間に、図６に示すように、取込口５ａと放出口１３とを連通させる密閉された音響空間１５が形成される。
【００２５】
この音響空間１５の取込口５ａにおける高さ方向の寸法がＨ１に設定されているのに対して、放出口１３における高さ方向の寸法がＨ１よりも大きいＨ２に設定されており、取込口５ａから放出口１３に向かって高さ方向の寸法が漸次大きくなるように末広がりに形成されている。また、この音響空間１５は、平面視において、三個の仕切部材５ｂによって同じ大きさの分割空間１５ａないし１５ｃに分割されており、この分割空間１５ａないし１５ｃは取込口５ａから半径方向外側（放出口１３）に向かって、平面視において漸次末広がりに形成されている。
【００２６】
最後に、カバー８の位置決め用突起８ｃにベース９の位置決め孔９ｂを係合させるとともに、カバー８の係合片８ｂにベース９の係合凹部９ａを係合させることにより、ベース９をカバー８に取り付けることで、警報装置１が形成される。
【００２７】
このように、取込口５ａと放出口１３との間に密閉された音響空間１５を設けたので、警報音発生体６から発せられた警報音が放出口１３から放出されるまでに音圧が低下するようなことがない。また、音響空間１５の断面形状を取込口５ａから放出口１３に向かって末広がりとした、いわゆるラッパ形状とすることにより、音響空間１５内で警報音の音圧を高くすることができるとともに、音圧と音色に一定の変化を与えらることができるため警報音を聞き取りやすくすることもでき、特に、健聴者に比べて中程度難聴者にとって、音を認識しやすくなる。
【００２８】
また、仕切部材５ｂによって仕切られる分割空間１５ａないし１５ｃが、平面視おいて取込口５ａから放出口１３に向かって末広がりの空間となるため、ラッパ効果により分割空間１５ａないし１５ｃ内で警報音の音圧を高くすることができるとともに、音圧と音色に一定の変化を与えらることができるため警報音を聞き取りやすくすることもできる。また、音響空間１５における鉛直方向のラッパ効果を水平方向でも分担させたことにより、音響空間１５の高さ方向の寸法を最小限とすることが可能になるため、警報装置１の高さ方向の寸法を小さくすることができる。
【００２９】
また、放出口１３から放出された警報音は、内ケース部２ｃがすり鉢状に形成されているため、この内ケース部２ｃと、第１のプレート４の筒部との間の空間１６が、図６に示すように断面が末広がり状に形成されるため、この空間１６を通過するときにラッパ効果によって音圧が高くなる。
【符号の説明】
【００３０】
１…警報装置、２…ケース、２ｂ…露呈穴、３…レンズ組立体、４…第１のプレート、５…第２のプレート、５ａ…取込口、６…警報音発生体、７…プリント基板、８…カバー、９…ベース、１３…放出口、１５…音響空間。
【図１】
0005492749.tif 000002
【図２】
0005492749.tif 000003
【図３】
0005492749.tif 000004
【図４】
0005492749.tif 000005
【図５】
0005492749.tif 000006
【図６】
0005492749.tif 000007
【図７】
0005492749.tif 000008
【図８】
0005492749.tif 000009